(57)【特許請求の範囲】
【請求項１】
基材の一方の面に粘着面が形成された粘着テープを、その粘着面が表側を向くように巻回してなる清掃用粘着テープロールにおいて、
上記粘着面には、所定間隔をもって複数設けられたドット状の粘着剤層を有し、上記ドット状の粘着剤層は、長軸と短軸とを有する菱形状または楕円状に形成されており、
上記ドット粘着剤層は、上記長軸側が上記粘着テープの繰り出し方向に沿うように配置されているとともに、上記短軸と上記長軸とのアスペクト比が短軸：長軸＝１：１．５〜１：３．７であることを特徴とする清掃用粘着テープロール。
【請求項２】
上記ドット状の粘着剤層は、千鳥状または格子状に配置されていることを特徴とする請求項１に記載の清掃用粘着テープロール。
【請求項３】
上記粘着面の幅方向の両端には、粘着性を有さないドライエッジ部が上記粘着テープロールの繰り出し方向に連続して設けられていることを特徴とする請求項１または２に記載の清掃用粘着テープロール。
【発明の詳細な説明】
【技術分野】
【０００１】
本発明は、粘着テープの粘着面が表側を向くように巻回される清掃用粘着テープロールに関し、さらに詳しく言えば、被清掃面の上をスムーズに転がすことができる清掃用粘着テープロールに関する。
【背景技術】
【０００２】
清掃用の粘着テープロールは、一方の面に粘着面が形成された粘着テープを、その粘着面が表側を向くように巻回したものからなり、専用のローラ治具に取り付けて、被清掃面の上を転動させることで、ゴミを粘着面で捕捉するものである。
【０００３】
ところで、従来の粘着テープロールには、粘着剤を基材テープの全面にわたって塗布したべた塗りタイプや筋状に塗布したスジ塗りタイプが主流であるが、床面への糊残りや、粘着テープロールを巻方向とを逆方向に転がした際に、粘着テープ端部が床面に張り付く、いわゆるレール引き現象が起こらないようにするため、粘着面の塗工厚さが細かく制御される。
【０００４】
さらに最近では、例えば特許文献１に示すように、新しいタイプの粘着剤の塗工方法として、グラビアロールを用いて粘着剤を基材テープに塗布する方法が一部採用されている。これによれば、粘着剤を効率的に基材テープ側に転写することにより、ゴミの捕捉力を落とすこと無く、粘着剤の使用量を抑えることができる。
【０００５】
しかしながら、グラビア塗工によって粘着剤層を形成してもなお、上述したレール引き現象を防止することはできない。とりわけ、フローリング床などの平滑面では、よりレール引き現象を起こしやすい。
【０００６】
また、特許文献１のようにドット状の粘着部を未粘着のテープ基材の上に点在させた粘着テープロールは絨毯や畳などの上でころがした場合、粘着面と未粘着面との繰り返しによる脈動によって、表面を叩いてほこりを浮かせる効果（タッピング効果）が生まれて、よりほこりを捕捉することができるが、フローリング床などの平滑面では、脈動がグリップから伝わりユーザーが不快感を覚える場合もある。
【先行技術文献】
【特許文献】
【０００７】
【特許文献１】特開２０１０−２９３４１号公報
【発明の概要】
【発明が解決しようとする課題】
【０００８】
そこで、本発明の目的は、粘着力を落とすことなく、かつ、脈動することなくスムーズに回転し、さらにフローリング床などの平滑面であっても、レール引き現象を起こしにくい清掃用粘着テープロールを提供することにある。
【課題を解決するための手段】
【０００９】
上述した目的を達成するため、本発明は以下に示すいくつかの特徴を備えている。すなわち、基材の一方の面に粘着面が形成された粘着テープを、その粘着面が表側を向くように巻回してなる清掃用粘着テープロールにおいて、上記粘着面には、所定間隔をもって複数設けられたドット状の粘着剤層を有し、上記ドット状の粘着剤層は、長軸と短軸とを有する菱形状または楕円状に形成されており、上記ドット粘着剤層は、上記長軸側が上記粘着テープの繰り出し方向に沿うように配置されているとともに、上記短軸と上記長軸とのアスペクト比が短軸：長軸＝１：１．５〜１：３．７であることを特徴としている。
【００１０】
より好ましい態様として、上記ドット状の粘着剤層は、千鳥状または格子状に配置されていることを特徴としている。
【００１１】
より好ましい態様として、上記粘着面の幅方向の両端には、粘着性を有さないドライエッジ部が上記粘着テープロールの繰り出し方向に連続して設けられていることを特徴としている。
【発明の効果】
【００１３】
本発明によれば、長軸と短軸を有する菱形状もしくは楕円状のドット状に粘着剤層を、そのアスペクト比を短軸：長軸＝１：１．５〜１：３．７とし、長軸側を粘着テープの繰り出し方向に沿うように配置することで、繰り出し方向側の粘着力の変化を小さくすることにより、ゴミの捕捉力を落とすことなく、フローリング床などの平滑面であってもレール引き現象を防ぐことができる。
【図面の簡単な説明】
【００１４】
【図１】本発明の一実施形態に係る粘着テープロールの斜視図。
【図２】粘着テープの粘着面の平面図。
【図３】図２のＡ−Ａ線拡大平面図
【図４】本発明の粘着テープの（ａ）流れ方向の粘着力
【図５】粘着剤層を（ａ）楕円状および（ｂ）長円状に形成した状態の模式図
【発明を実施するための形態】
【００１５】
次に、本発明の一実施形態について図面を参照しながら説明するが、本発明はこれに限定されるものではない。
【００１６】
図１に示すように、この清掃用粘着テープロール１は、テープ基材２１の一方の面にゴミ取り面としての粘着剤層２２が形成された粘着面を有する粘着テープ２を、円筒状の巻芯３に沿って巻回したものからなる。粘着面の幅方向（図２では左右方向）の両端には、粘着性を有さない未粘着部（ドライエッジ部２３，２３）が設けられている。
【００１７】
粘着テープ２には、切断用の切れ目（図示しない）が設けられている。切れ目は、ほぼ１周長毎に設けられており、切れ目に沿って粘着テープ２を切断して切り離すことで、未使用の粘着面を表面に露出させることができる。
【００１８】
この例において、巻芯３はボール紙などの紙製巻芯が用いられているが、これ以外の巻芯が用いられてもよいし、さらには巻芯３を持たない、いわゆるコアレス構造であってもよく、本発明において巻芯３の構成は任意的事項である。
【００１９】
テープ基材２１は、例えば紙製の帯状テープであって、その裏面（粘着面とは反対の面）には、巻回した際に下層の粘着面に対する剥離処理としての目止め処理が施されている。なお、本発明において、目止め処理の具体的な構成は、任意的事項である。
【００２０】
図３を併せて参照して、粘着面には、例えばＳＩＳ（スチレン−イソプレン−スチレン）系などの粘着剤からなる粘着剤層２２が設けられている。粘着剤層２２は、その各々が菱形状に形成され、粘着性を有さない未粘着部２４を挟んで所定の配列パターンで多数設けられている。
【００２１】
粘着剤層２２は、長軸方向の長さがａ、短軸方向の長さがｂの菱形形状であって、長軸方向が粘着テープ２の繰り出し方向（図３の矢印方向）に沿うように配置されている。この例において、粘着剤層２２は菱形状であるが、粘着テープ２の繰り出し方向に沿うように長軸側が配置される形状であればよく、楕円形状などであってもよい。
【００２２】
すなわち、本発明の楕円状とは、図５（ａ）に示すように、粘着テープ２の繰り出し方向に沿うように配置された楕円形状の粘着剤層２２をいうが、これ以外に、図５（ｂ）に示すように、長円形状の粘着剤２２を繰り出し方向に沿って配置したものも含まれる。
【００２３】
この例において、粘着剤層２２は、長軸方向の長さａが５．２ｍｍ、短軸方向の長さｂが３．０ｍｍ、アスペクト比（短軸ｂ：長軸ａ）で１：１．７３となるように形成されているが、好ましくはアスペクト比が１：１．５〜１：３．７（さらに好ましくは１：１．７〜１：２）となるように形成されていることが好ましい。
【００２４】
すなわち、アスペクト比が１：１．５未満の場合は、縦横形状比が大きく変わらず、流れ方向の粘着力の変化と、幅方向の粘着力の変化に大きな違いがないため、従来とさほど変わらない性状となる。逆に、アスペクト比が１：３．７よりも大きくなりすぎると、グラビアロールを用いた粘着剤塗工では、粘着剤の転写率（投錨性）を確保できず、その結果、床面に糊残りなどが生じるおそれがあるため好ましくない。また、この例において、未粘着部２４の間隔ｃは１．０ｍｍの等幅である。
【００２５】
この例において、粘着剤層２２は、未粘着部２４がほぼ等幅の直線上となる千鳥状に配置されているが、これ以外に一般的な格子状に配置されていてもよい。さらには、幾何学的な配置パターンであってもよく、粘着剤層２２の長軸側が粘着テープ２の繰り出し方向に沿うように配置されていれば、その配置パターンは仕様に応じて任意に変更可能である。
【００２６】
次に、本発明の具体的な実施形態として、まず、上記実施形態の粘着テープ２をステンレス板に貼り付けたのち、引張速度３００ｍｍ／ｓｅｃで、粘着テープ２の繰り出し方向と、幅方向とにそれぞれ３回ずつピーリング試験を行い、その粘着力の変化について調べた。その結果を以下の表１に示す。
【００２７】
【表１】
0005968664.tif 000002
【００２８】
これによれば、図４（ａ）の粘着力の測定結果に示すように、粘着テープ２の繰り出し方向に沿って粘着テープロール１を転がすと、長軸側が粘着テープ２の繰り出し方向（転がり方向）に沿うように配置することにより、繰り出し方向に沿って隣接する粘着剤層２２と未粘着部２４との粘着力の変化量を小さくすることができるため、粘着力は落とさずに、脈動のみを抑えることができる。
【００２９】
逆に、図４（ｂ）に示すように、粘着テープ２の幅方向の粘着力の変化量は大きくなり、脈動も併せて大きくなるが、幅方向に粘着テープロール１を転がすことはないため、特に問題が無い。
【符号の説明】
【００３０】
１  粘着テープロール
２  粘着テープ
２１  テープ基材
２２  粘着剤層
２３，２４  未粘着部
３  巻芯
【図１】
0005968664.tif 000003
【図２】
0005968664.tif 000004
【図３】
0005968664.tif 000005
【図４】
0005968664.tif 000006
【図５】
0005968664.tif 000007